(57)【要約】【課題】製造歩留まりの低下を招くことなく、薄型化が可能な信頼性の高い表示装置を提供することを目的とする。【解決手段】  複数の表示画素によって構成された有効表示部を備えた表示パネル１００と、表示パネル１００の表面上において有効表示部の外側に位置する外周部に接続されたフレキシブル配線基板１４２と、表示パネル１００の表面上において外周部に配置されるとともに有効表示部におけるそれぞれの表示画素を駆動するための駆動信号を出力する駆動ＩＣチップ１４１と、表示パネル１００とフレキシブル配線基板１４２との間の間隙に塗布された樹脂コート１６０と、表示パネル１００の裏面上に配置され駆動ＩＣチップ１４１の配置位置に対応した領域を遮光するとともに樹脂コート１６０の塗布領域を避けた形状の遮光テープ１５０と、を備えたことを特徴とする。【選択図】      図２
2007025361.tif 000002
【特許請求の範囲】
【請求項１】
複数の表示画素によって構成された有効表示部を備えた表示パネルと、
前記表示パネルの表面上において前記有効表示部の外側に位置する外周部に接続されたフレキシブル配線基板と、
前記表示パネルの表面上において前記外周部に配置されるとともに前記有効表示部におけるそれぞれの表示画素を駆動するための駆動信号を出力する駆動ＩＣチップと、
前記表示パネルと前記フレキシブル配線基板との間の間隙に塗布された樹脂コートと、
前記表示パネルの裏面上に配置され、前記駆動ＩＣチップの配置位置に対応した領域を遮光するとともに前記樹脂コートの塗布領域を避けた形状の遮光媒体と、
を備えたことを特徴とする表示装置。
【請求項２】
複数の表示画素によって構成された有効表示部を備えた表示パネルと、
前記表示パネルに接続されたフレキシブル配線基板と、
前記表示パネルの表面上において前記有効表示部の外側に位置する外周部に配置されるとともに前記有効表示部におけるそれぞれの表示画素を駆動するための駆動信号を出力する駆動ＩＣチップと、
前記表示パネルと前記フレキシブル配線基板との間の間隙に塗布された樹脂コートと、
前記表示パネルを裏面側から照明するバックライトユニットと、
前記表示パネル及び前記バックライトユニットを保持するハウジングと、
前記ハウジングに配置され、前記駆動ＩＣチップの配置位置に対応した領域を前記表示パネルの裏面側から遮光するとともに前記樹脂コートの塗布領域を避けた形状の遮光媒体と、
を備えたことを特徴とする表示装置。
【請求項３】
前記遮光媒体は、前記樹脂コートの塗布始点及び終点に対応する塗布領域を避ける切欠部を有することを特徴とする請求項１または２に記載の表示装置。
【請求項４】
前記遮光媒体は、略短冊状であり、前記フレキシブル配線基板と重なる前記表示パネルのエッジに沿った前記遮光媒体の辺上において、その両端部に切欠部を有することを特徴とする請求項１または２に記載の表示装置。
【請求項５】
前記表示パネルの裏面上において、塗布領域における前記樹脂コートの厚さは、前記遮光媒体の厚さ以下であることを特徴とする請求項１または２に記載の表示装置。
【請求項６】
前記表示パネルの裏面上において、塗布領域における前記樹脂コートの厚さは、１００μｍ以下であることを特徴とする請求項１または２に記載の表示装置。
【請求項７】
前記表示パネルは、一対の基板間に液晶層を保持した液晶表示パネルであることを特徴とする請求項１または２に記載の表示装置。
【発明の詳細な説明】
【技術分野】
【０００１】
この発明は、表示装置に係り、特に、表示パネルとその背面側から照明するバックライトユニットとを搭載した表示装置に関する。
【背景技術】
【０００２】
液晶表示装置などの表示装置は、マトリクス状の表示画素によって構成された有効表示部を備えた表示パネルを備えている。この表示パネルは、有効表示部において、表示画素の行方向に沿って延在する複数の走査線、表示画素の列方向に沿って延在する複数の信号線、これら走査線と信号線との交差部付近に配置されたスイッチング素子、スイッチング素子に接続された画素電極などを備えている。
【０００３】
また、表示装置は、表示パネルに各種信号を供給するためのフレキシブル配線基板を備えている。このフレキシブル配線基板は、その一端部が例えば表示パネルの一側縁に接続されている。フレキシブル配線基板は、表示パネルの裏面側に折り曲げられ、表示パネルを保持するハウジングに両面テープによって貼り付けられている（例えば、特許文献１参照）。
【特許文献１】特開平９−１３８３８８号公報
【発明の開示】
【発明が解決しようとする課題】
【０００４】
表示パネルとフレキシブル配線基板との間の間隙には、導電性の異物をかみこんだ際のショート対策、結露による腐食対策、さらには補強などといった目的で樹脂コートが配置されている。近年、表示装置の薄型化の要求に伴い、表示パネルを構成する絶縁基板も０．２ｍｍ程度の極めて薄いものが適用されるようになってきた。このため、表示パネルとフレキシブル配線基板との間の間隙に塗布された樹脂コートの一部が表示パネルを構成する絶縁基板上に乗り上げやすくなる。
【０００５】
特に、表示パネルの表面側に駆動ＩＣチップを搭載した構成においては、駆動ＩＣチップに光が照射されることによる誤動作を防止するために、表示パネルの裏面側に遮光テープが配置されるが、遮光テープ上に樹脂コートが乗り上げると、局所的に厚みが増した凸部が形成されてしまう。このような凸部は、フレキシブル配線基板を裏面側に折り曲げた際に支点となって、応力が集中しやすいため、絶縁基板の破損を招くおそれがある。
【０００６】
この発明は、上述した問題点に鑑みなされたものであって、その目的は、製造歩留まりの低下を招くことなく、薄型化が可能な信頼性の高い表示装置を提供することにある。
【課題を解決するための手段】
【０００７】
この発明の第１の態様による表示装置は、
複数の表示画素によって構成された有効表示部を備えた表示パネルと、
前記表示パネルに接続されたフレキシブル配線基板と、
前記表示パネルの表面上において前記有効表示部の外側に位置する外周部に配置されるとともに前記有効表示部におけるそれぞれの表示画素を駆動するための駆動信号を出力する駆動ＩＣチップと、
前記表示パネルと前記フレキシブル配線基板との間の間隙に塗布された樹脂コートと、
前記表示パネルの裏面上に配置され、前記駆動ＩＣチップの配置位置に対応した領域を遮光するとともに前記樹脂コートの塗布領域を避けた形状の遮光媒体と、
を備えたことを特徴とする。
【０００８】
この発明の第２の態様による表示装置は、
複数の表示画素によって構成された有効表示部を備えた表示パネルと、
前記表示パネルに接続されたフレキシブル配線基板と、
前記表示パネルの表面上において前記有効表示部の外側に位置する外周部に配置されるとともに前記有効表示部におけるそれぞれの表示画素を駆動するための駆動信号を出力する駆動ＩＣチップと、
前記表示パネルと前記フレキシブル配線基板との間の間隙に塗布された樹脂コートと、
前記表示パネルを裏面側から照明するバックライトユニットと、
前記表示パネル及び前記バックライトユニットを保持するハウジングと、
前記ハウジングに配置され、前記駆動ＩＣチップの配置位置に対応した領域を前記表示パネルの裏面側から遮光するとともに前記樹脂コートの塗布領域を避けた形状の遮光媒体と、
を備えたことを特徴とする。
【発明の効果】
【０００９】
この発明によれば、製造歩留まりの低下を招くことなく、薄型化が可能な信頼性の高い表示装置を提供することができる。
【発明を実施するための最良の形態】
【００１０】
以下、この発明の一実施の形態に係る表示装置について図面を参照して説明する。
【００１１】
図１に示すように、表示装置の一例としての液晶表示装置は、略矩形平板状の液晶表示パネル１００を備えている。すなわち、液晶表示パネル１００は、一対の基板すなわちアレイ基板（第１基板）２００及び対向基板（第２基板）３００と、アレイ基板２００と対向基板３００との間に保持された液晶層４００と、によって構成されている。
【００１２】
これらのアレイ基板２００と対向基板３００とは、シール材１１０によって貼り合わせられ、これらの間に液晶層４００を保持するための所定のギャップを形成する。液晶表示パネル１００は、シール材１１０によって囲まれた内側に画像を表示する有効表示部１２０を備えている。この有効表示部１２０は、マトリクス状に配置された複数の表示画素ＰＸによって構成されている。
【００１３】
アレイ基板２００は、有効表示部１２０において、表示画素ＰＸの行方向に沿って延在する複数の走査線Ｙ（１、２、３、…、ｍ）と、表示画素ＰＸの列方向に沿って延在する複数の信号線Ｘ（１、２、３、…、ｎ）と、各表示画素ＰＸにおける信号線Ｘと走査線Ｙとの交差部に配置されたスイッチ素子２２０と、各表示画素ＰＸのスイッチ素子２２０に接続された画素電極２３０と、を備えている。
【００１４】
スイッチ素子２２０のゲート電極２２２は、走査線Ｙに接続されている（あるいは、ゲート電極２２２は、走査線Ｙと一体的に形成されている）。スイッチ素子２２０のソース電極２２５は、信号線Ｘに接続されている（あるいは、ソース２２５は、信号線Ｘと一体的に形成されている）。スイッチ素子２２０のドレイン電極２２７は、画素電極２３０に接続されている。
【００１５】
対向基板３００は、有効表示部１２０において、複数の表示画素ＰＸに共通の対向電極３３０を備えている。
【００１６】
また、液晶表示パネル１００は、その表面上において、有効表示部１２０の外側に位置する外周部１３０に配置された第１接続部１３１及び第２接続部１３２を備えている。図１に示した例では、第１接続部１３１及び第２接続部１３２は、対向基板３００の端部３００Ａより外方に延在したアレイ基板２００の表面側における延在部２００Ａ上に配置されている。
【００１７】
第１接続部１３１は、信号供給源として機能する駆動ＩＣチップ１４１と接続されている。駆動ＩＣチップ１４１は、有効表示部１２０におけるそれぞれの表示画素ＰＸを駆動するための駆動信号を出力する。第２接続部１３２は、信号供給源として機能するフレキシブル配線基板と接続されている。フレキシブル配線基板は、例えば駆動ＩＣチップ１４１に対して各種制御信号や電源を供給したり、液晶表示パネル１００に対して各種信号を供給したりする。
【００１８】
有効表示部１２０に配置された走査線Ｙ（１、２、３、…、ｍ）のそれぞれは、外周部１３０を経由して第１接続部１３１に接続されている。また、信号線Ｘ（１、２、３、…、ｎ）のそれぞれも同様に、外周部１３０を経由して第１接続部１３１に接続されている。
【００１９】
液晶表示パネル１００の裏面上において、駆動ＩＣチップ１４１の配置位置に対応した領域を遮光する遮光媒体すなわち遮光テープ１５０が配置されている。図２に示した例では、遮光テープ１５０は、アレイ基板２００の裏面側における延在部２００Ａ上に配置されている。この遮光テープ１５０は、略短冊状に形成され、液晶表示パネル１００の裏面側から駆動ＩＣチップ１４１に向かう光を遮光するものであり、アレイ基板２００に接着されている。
【００２０】
また、液晶表示パネル１００の裏面側においては、液晶表示パネル１００とフレキシブル配線基板１４２との間の間隙を充填するように塗布された樹脂コート１６０が配置されている。すなわち、図３に示すように、フレキシブル配線基板１４２は、基材１４２Ａ、基材１４２Ａ上に配置された各種配線などの導体層１４２Ｂ、導体層１４２Ｂを覆うカバー層１４２Ｃなどを備えている。フレキシブル配線基板１４２の接続部１４２Ｄは、液晶表示パネル１００の第２接続部１３２との接続を可能とするために、カバー層１４２Ｃで覆われずに導体層１４２Ｂが露出している。
【００２１】
接続部１４２Ｄは、第２接続部１３２との接続マージンを確保すべく幅広に形成されており、第２接続部１３２と接続された後であっても導体層１４２Ｂの一部が露出している。このため、導体層１４２Ｂの露出部分に導電性の異物がかみこんだ際にショートを生じたり、結露により腐食したり、さらには接続部１４２Ｄを起点としてフレキシブル配線基板１４２が剥離あるいは破損したりする。そこで、これらの対策として、液晶表示パネル１００とフレキシブル配線基板１４２との間に形成された間隙、すなわち主に導体層１４２Ｂが露出した接続部１４２Ｄに樹脂コート１６０が施されている。
【００２２】
上述したような構成において、遮光テープ１５０は、図２に示すように、樹脂コート１６０の塗布領域を避けた形状に形成されている。ここでは、塗布領域とは、塗布された樹脂コート１６０が硬化したときの領域に相当する。すなわち、樹脂コート１６０は、フレキシブル配線基板１４２と重なる液晶表示パネル１００のエッジ１００Ｅ（ここではアレイ基板２００のエッジ２００Ｅに相当）に沿って塗布される。このとき、塗布始点１６１及び塗布終点１６２では、樹脂コート１６０が過剰に塗布されやすい。
【００２３】
このため、塗布された樹脂コート１６０が液晶表示パネル１００のエッジ１００Ｅを越えてアレイ基板２００に乗り上げることがある。特に、０．２ｍｍ以下の厚みのガラス基板を用いて形成したアレイ基板２００のエッジ２００Ｅに沿って樹脂コート１６０を配置した場合には、塗布始点１６１及び塗布終点１６２で樹脂コート１６０がアレイ基板２００上に乗り上げやすい。
【００２４】
樹脂コート１６０がアレイ基板２００上に配置された遮光テープ１５０の上に乗り上げると、図４に示すように、局所的に厚みが増した凸部１７０が形成されてしまう。このような凸部１７０を備えた液晶表示パネル１００をハウジング５００に搭載すると、フレキシブル配線基板１４２を折り曲げた際に、凸部１７０が支点となり、応力が集中しやすい。このため、アレイ基板２００の破損を招くおそれがある。
【００２５】
そこで、この実施の形態では、遮光テープ１５０は、樹脂コート１６０の塗布領域を避けた形状を有しており、例えアレイ基板２００上に樹脂コート１６０が乗り上げたとしても遮光テープ１５０上にまで樹脂コート１６０が乗り上げないように構成している。これにより、局所的に厚みが増す部分が形成されることはなく、フレキシブル配線基板１４２を折り曲げた際のアレイ基板２００の破損を防止することが可能となる。
【００２６】
より具体的には、図２に示したように、遮光テープ１５０は、樹脂コート１６０の塗布始点１６１及び塗布終点１６２に対応する塗布領域を避ける切欠部１５１及び１５２を有している。アレイ基板２００のエッジ２００Ｅに沿って樹脂コート１６０を配置する場合には、エッジ２００Ｅの両端部付近がそれぞれ塗布始点１６１及び塗布終点１６２となるため、遮光テープ１５０は、これに対応して、エッジ２００Ｅに沿った辺１５０Ｅ上において、その両端部に切欠部１５１及び１５２を有している。このような構成により、遮光テープ１５０上への樹脂コート１６０の乗り上げを防止することが可能となる。
【００２７】
樹脂コート１６０は、アレイ基板２００上に乗り上げないことが望ましいが、仮に乗り上げたとしてもフレキシブル配線基板１４２を折り曲げた際に応力が集中するような支点にならなければ良い。つまり、図５に示すように、アレイ基板２００上に遮光テープ１５０が配置されるが、アレイ基板２００上に乗り上げた樹脂コート１６０の最大の厚さ１６０Ｔが、遮光テープ１５０の厚さ以下１５０Ｔであれば良い。換言すると、遮光テープ１５０の厚さ１５０Ｔは、１００μｍ程度であることから、アレイ基板２００上に乗り上げた樹脂コート１６０の最大の厚さ１６０Ｔは、１００μｍ以下であれば良い。このような構成により、樹脂コート１６０がアレイ基板２００に乗り上げたとしても、アレイ基板２００の破損を防止することが可能となる。
【００２８】
上述した実施の形態では、遮光テープ１５０は、液晶表示パネル１００に接着されているが、必ずしもこの構成に限らない。図６に示すように、透過型の液晶表示パネル１００を裏面側から照明するバックライトユニットＢＬを備えた液晶表示装置においては、液晶表示パネル１００とともにバックライトユニットＢＬを保持するハウジング５００を備えている。
【００２９】
バックライトユニットＢＬは、平板状の導光体６１０、導光体６１０のエッジに沿って配置された光源部６２０、導光体６１０と液晶表示パネル１００との間に配置された第１光学素子６３０、導光体６１０の裏面側に配置された第２光学素子６４０などを備えて構成されている。
【００３０】
導光体６１０は、その一方の主面（表面）６１１が液晶表示パネル１００と対向するように配置されている。光源部６２０は、発光ダイオード（ＬＥＤ）や冷陰極管などの光源を備え、必要に応じてこれらの光源の周囲を囲むリフレクタなどを備えている。第１光学素子６３０は、導光体６１０の主面６１１を出射した光に対して所定の光学特性を付与するものである。この第１光学素子６３０は、拡散性を付与する拡散シートや集光性を付与するレンズシート、さらには輝度向上機能を有した光学シートなどで構成されている。第２光学素子６４０は、導光体６１０の他方の主面（裏面）６１２を出射した光を導光体６１０側に向けて反射する反射シートなどを含んで構成されている。
【００３１】
ハウジング５００は、液晶表示パネル１００の外形寸法（例えばアレイ基板２００の外形寸法）と同等の寸法の凹部５０１を有し、両面テープなどを介して凹部５０１に収容した液晶表示パネル１００を保持している。
【００３２】
このような構成において、遮光テープ１５０は、ハウジング５００に配置されている。すなわち、遮光テープ１５０は、凹部５０１に接着され、凹部５０１に収容された液晶表示パネル１００の裏面側から駆動ＩＣチップ１４１の配置位置に対応した領域を遮光するように構成されている。このような構成であっても、上述した実施の形態と同様の効果が得られる。
【００３３】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００３４】
【図１】図１は、この発明の一実施の形態に係る液晶表示装置の構成を概略的に示す図である。
【図２】図２は、図１に示した液晶表示装置の裏面側の構成を概略的に示す平面図である。
【図３】図３は、図２に示した液晶表示装置をＡ−Ａ線で切断したときの断面構造を概略的に示す図である。
【図４】図４は、遮光テープ上に樹脂コートが乗り上げたときに形成される凸部の作用を説明するための図である。
【図５】図５は、遮光テープの厚さとアレイ基板上に乗り上げた樹脂コートの厚さとの関係を説明するための図である。
【図６】図６は、他の実施の形態に係る液晶表示装置の構成を概略機に示す断面図である。
【符号の説明】
【００３５】
ＰＸ…表示画素
Ｙ…走査線
Ｘ…信号線
ＢＬ…バックライトユニット
１００…液晶表示パネル
１００Ｅ…エッジ
１１０…シール材
１２０…有効表示部
１４１…駆動ＩＣチップ
１４２…フレキシブル配線基板
１４２Ａ…基材
１４２Ｂ…導体層
１４２Ｃ…カバー層
１４２Ｄ…接続部
１５０…遮光テープ
１５１…切欠部
１５２…切欠部
１６０…樹脂コート
１６１…塗布始点
１６２…塗布終点
５００…ハウジング
５０１…凹部
【図１】
2007025361.tif 000003
【図２】
2007025361.tif 000004
【図３】
2007025361.tif 000005
【図４】
2007025361.tif 000006
【図５】
2007025361.tif 000007
【図６】
2007025361.tif 000008